(57)【要約】  本発明は、視覚対象物を受容し、背景体に対して所望の位置および／または所望の距離でこれを保持するように設計された、視覚対象物を展示する支持体（１００）に関する。前記支持体は、ほぼ支持面に沿って位置し、少なくとも一つの固定用つまみ（１０２，１０３，１０４，１０５）を備える。この固定用つまみは、このつまみ（１０２〜１０５）の折り目を示すように設計された少なくとも一つの位置マーク（１３２〜１３５，１４２〜１４５）を有する。対象物を背景体に対して所定の位置および／または所定の距離に保持するように、つまみは、折り曲げられずに支持面にそって位置する第一の保持位置、または折り目に沿って折り曲げられて支持面に対して突出して位置する、いわば突き出した第二の位置に、配置可能にされている。
2008512135.tif 000002
【特許請求の範囲】
【請求項１】
視覚対象物（８００）を受容するとともに、背景体（９００）に対してそれを所定の位置および／または所望の距離に保持するように視覚対象物（８００）を展示するための支持体（１００，２００）であって、
該支持体は、概ね或る支持面に沿うように配置され、かつ少なくとも一つの固定用タブ（１０２，１０３，１０４，１０５，２０２，２０３，２０４，２０５）を備え、
該固定用タブは、タブ（１０２〜１０５，２０２〜２０５）上での折り目を示すために、少なくとも一つの位置マーク（１３２〜１３５，１４２〜１４５，２３２〜２３５，２４２〜２４５）を有していて、対象物（８００）を背景体（９００）に対して所定位置および／または可能な所定距離に保持するように、前記タブは、折り曲げられずに支持面に沿って位置する第一の保持位置、または展開状態で説明して、折り目に沿って折り曲げられて支持面に対して突出するようになる第二の位置に、配置可能となっている、前記支持体。
【請求項２】
少なくとも二つの固定用タブ（１０２，１０３，１０４，１０５）を備える請求項１記載の支持体。
【請求項３】
中央部（１０１，２０１）を含み、該中央部から１または２以上の固定用タブ（１０２，１０３，１０４，１０５，２０２，２０３，２０４，２０５）が延出し、前記中央部および前記固定用タブは単一の部材として形成される、請求項１または２に記載の支持体。
【請求項４】
１または２以上の固定用タブ（１０２，１０３，１０４，１０５）が支持体（１００）の中央部（１０１）において切り抜かれている、請求項３記載の支持体。
【請求項５】
１または２以上の固定用タブ（１０２，１０３，１０４，１０５）が支持体（１００）の中央部（１０１）における脆弱化された線によって画成されている、請求項３記載の支持体。
【請求項６】
中央部（１０１，２０１）を含み、該中央部から１または２以上の固定用タブ（１０２，１０３，１０４，１０５，２０２，２０３，２０４，２０５）が延出し、前記１または２以上の固定用タブは中央部（１０１，２０１）に取り付けられている、請求項１または２に記載の支持体。
【請求項７】
前記中央部（１０１）は、写真の取りうる配置を示すための位置マーク（１８０，１８１，１８２，１８３）を備える、請求項６記載の支持体。
【請求項８】
前記支持体は一枚のカードボードまたはプラスチックから形成される、請求項１から７のいずれかに記載の支持体。
【請求項９】
１または２以上の固定用タブ（１０２〜１０５，２０２〜２０５）は、１または２以上の位置マーク（１３２〜１３５，１４２〜１４５，２３２〜２３５，２４２〜２４５）に関連する指示用表示を含み、該指示用表示は背景体（９００）に対する離間距離を示す、請求項８記載の支持体。
【請求項１０】
前記位置マーク（１３２〜１３５，１４２〜１４５，２３２〜２３５，２４２〜２４５）は、前記固定用タブ（１０２〜１０５，２０２〜２０５）が１または２以上の折り目に沿って折り曲げられるときに固定用タブが取り得る異なる可能な形態を作り出すための異なる可能な折り目に対応している、請求項８または９に記載の支持体。
【請求項１１】
中央部（１０１）および少なくとも二つの固定用タブ（１０３，１０５）を備え、前記位置マーク（１３２〜１３５，１４２〜１４５，１５２〜１５５，１６２〜１６５，１７２〜１７５）は、第一および第二の折り目（１３３，１３５，１６３，１６５）を示すために、各固定用タブ（１０３，１０５）上に設けられ、各タブ（１０３，１０５）の第一の折り目（１３３，１３５）は、中央部（１０１）の同じ側で中央部（１０１）に対してほぼ垂直方向の第一のタブ部を構成するように該タブ（１０３，１０５）を折り曲げるために使用され、各タブ（１０３，１０５）の第二の折り目（１６３，１６５）は、中央部（１０１）に対して平行な第二のタブ部を構成するように該タブ（１０３，１０５）を折り曲げるために使用され、折り曲げられた第二のタブ部は、互いに反対方向に向かって二つのＬ字形状の取り付け部位を形成する、請求項８から１０のいずれかに記載の支持体。
【請求項１２】
前記位置マーク（１３２〜１３５，１４２〜１４５，１５２〜１５５，１６２〜１６５，１７２〜１７５）は、一方の前記タブ（１０３）における前記第一および第二の折り目（１３３，１６３）の間の距離がもう一方の前記タブ（１０５）における前記第一および第二の折り目（１３３，１６３）の間の距離と異なって、前記複数タブ（１０３，１０１５）の第一のタブ部が異なった長さになるように配置される、請求項１１記載の支持体。
【請求項１３】
中央部（１０１，２０１）および少なくとも二つの固定用タブ（１０３，１０５，１０６）を備え、前記位置マーク（１３２〜１３５，１４２〜１４５，１５２〜１５５，１６２〜１６５，１７２〜１７５）は、第一および第二の折り目（１３３，１３５，１４３，１４５）を示すために、各固定用タブ（１０２，１０５）上に設けられ、各タブ（１０３，１０５）の第一の折り目（１３３，１３５）は、中央部（１０１）の同じ側で中央部（１０１）に対して実質的に垂直方向に位置する第一のタブ部を構成するように該タブ（１０３，１０５）を折り曲げるために使用され、各タブ（１０３，１０５）の第二の折り目（１６３，１６５）は、中央部（１０１）に対して平行に位置する第二のタブ部を構成するように前記タブ（１０３，１０５）を折り曲げるために使用され、折り曲げられた第二のタブ部は一体化して一つのＵ字形状の取り付けループを形成する、請求項８から１０のいずれかに記載の支持体。
【請求項１４】
中央部（１０１）および少なくとも二つの固定用タブ（１０３，１０５）を備え、前記位置マーク（１３２〜１３５，１４２〜１４５，１５２〜１５５，１６２〜１６５，１７２〜１７５）は、第一、第二および第三の折り目（１３３，１３５，１４３，１４５，１６３，１６５）を表示するために、各固定用タブ（１０２〜１０５）上に配置され、各タブ（１０３，１０５）の第一の折り目（１３３，１３５）は、中央部（１０１）の同じ側で中央部（１０１）に対して実質的に当たって位置する第一のタブ部を構成するように該タブ（１０３，１０５）を折り曲げるために使用され、各タブ（１０３，１０５）の第二の折り目（１４３，１４５）は、中央部（１０１）の同じ側で中央部（１０１）に対して垂直に位置する第二のタブ部を構成するように前記タブ（１０３，１０５）を折り曲げるために使用され、各タブ（１０３，１０５）の第三の折り目（１６３，１６５）は、中央部（１０１）に対して平行に位置する第三のタブ部を構成するように前記タブ（１０３，１０５）を折り曲げるために使用され、折り曲げられた第三のタブ部は、互いに反対方向に向かって、一つのＴ字形状の取り付け部位を形成する、請求項８から１０のいずれかに記載の支持体。
【請求項１５】
中央部（１０１）および少なくとも二つの固定用タブ（１０３，１０５）を備え、前記位置マーク（１３２〜１３５，１４２〜１４５，１５２〜１５５，１６２〜１６５，１７２〜１７５）は、第一、第二および第三の折り目（１３３，１３５，１４３，１４５，１６３，１６５）を表示するために各固定用タブ（１０２，１０５）上に配置され、各タブ（１０３，１０５）の第一の折り目（１３３，１３５）は、中央部（１０１）の同じ側で中央部（１０１）に対してほぼ垂直方向の第一のタブ部を構成するように該タブ（１０３，１０５）を折り曲げるために使用され、各タブ（１０３，１０５）の第二の折り目（１４３，１４５）は、中央部（１０１）に平行な第二のタブ部を構成するように前記タブ（１０３，１０５）を折り曲げるために使用され、折り曲げられた第二のタブ部は一体となり、各タブ（１０３，１０５）の第三の折り目（１６３，１６５）は、複数のＵ字形状の取り付けループを形成するように中央部（１０１）に対して垂直に中央部（１０１）方向に向かう第三のタブ部を構成するように前記タブ（１０３，１０５）を折り曲げるために使用される、請求項８から１０のいずれかに記載の支持体。
【請求項１６】
中央部（１０１，２０１）および少なくとも二つの固定用タブ（１０３，１０５）を備え、前記位置マーク（１３２〜１３５，１４２〜１４５，１５２〜１５５，１６２〜１６５，１７２〜１７５）は、各固定用タブ（１０３，１０５）上に各固定用タブ（１０３，１０５）の第一および第二の折り目（１３３，１３５，１５３，１５５）を表示するために配置され、各タブ（１０３，１０５）の第一の折り目（１３３，１３５）は、中央部（１０１）の同じ側で中央部（１０１）に対して所定の角度をなす第一のタブ部を構成するように該タブ（１０３，１０５）を折り曲げるために使用され、各タブ（１０３，１０５）の第二の折り目（１５３，１５５）は、中央部（１０１）に平行な第二のタブ部を構成するように前記タブ（１０３，１０５）を折り曲げるために使用され、折り曲げられた第二のタブ部は一体となって概ね台形形状の取り付けループを形成する、請求項８から１０のいずれかに記載の支持体。
【請求項１７】
その上に対象物（８００）が配置される請求項１から１６のいずれかに記載された支持体（１００，２００）の固定用タブ（１０２〜１０５，２０２〜２０５）を受け入れるための少なくとも一つのスロット（３０２〜３０５，４０２〜４０５，５０３，５０５，６０５，７０３，７０４，７０６）を備え、該スロット（３０２〜３０５）は、背景体（９００）から所定の距離（ｄ）であって背景体（９００）に対して所定の位置に対象物（８００）を保持するために、タブ（１０２〜１０５，２０２〜２０５）と協働するように設計されていることを特徴とする、視覚対象物（８００）を展示するためのベース部材（３００，４００，５００，６００，７００）。
【請求項１８】
いずれも支持体（１００，２００）の固定用タブ（１０２〜１０５，２０２〜２０５）を受け入れるための少なくとも二つのスロット（３０２〜３０５，４０２〜４０５，５０３，５０５，７０３，７０４，７０６）を備えることを特徴とする、請求項１７記載のベース部材。
【請求項１９】
・請求項１から１６のいずれかに記載の展示支持体、
・請求項１７または１８に記載のベース部材（３００，４００，５００，６００，７００）、
を備えることを特徴とする、視覚対象物（８００）の展示用具。
【発明の詳細な説明】
【技術分野】
【０００１】
本発明は、視覚対象物（目で見るための対象物）の展示用具の技術分野に関する。
本発明は、特に、写真や絵のような概ね平面の対象物の展示に関する。
【背景技術】
【０００２】
これらの対象物は、一般に支持体（たとえば、額縁）に入れて展示され、その支持体は、取付け手段（額用フックのような）によって背景体（たとえば、パーテーションまたは壁面）に配置される。この種の展示は、背景体に対する展示対象物の関係という観点ではいかなる配置をも可能にするわけではない。
【０００３】
他の種類の展示は、たとえばワイヤや紐によって、支持体を背景体の前方にぶら下げることからなる。この場合には、ぶら下げ手段が目に見えてしまい、また背景体に対して支持体が動きうる。
【発明の開示】
【０００４】
本発明が解決する課題は、背景体に対する展示対象物の関係という観点で任意の配置を可能とし、かつ取り付け手段が目立たない、対象物の展示用具を提供することである。
この課題は、視覚対象物を受容し、これを背景体に対して所望の位置および／または所望の距離に保持するための視覚対象物を展示するための、下記構成を有する支持体により解決される。前記支持体は、概ね或る支持面に沿うように位置するとともに、少なくとも一つの固定用タブを備える。該固定用タブは、タブ上の折り目を示すための少なくとも一つの位置マークを有し、それによって、対象物を背景体に対して可能な複数の所定位置および／または可能な複数の所定距離に保持する目的で、折り曲げられることなく支持面にそって配置される第一の保持位置、または展開状態で説明して、折り目に沿って折り曲げられて支持面に対して突出するようになる第二の位置にタブが配置可能となる。
【０００５】
タブは、観覧者には見えることなく、所定の位置および／または背景体から所定の距離で、対象物を背景体の前方に保持するのに使用される。従って、本発明の支持体は目立たない。
【０００６】
加えて、固定用タブは、空間内での対象物の安定保持を可能にし、かつ背景体に対する対象物の一定の相対位置を確保する。このことは、ワイヤや紐などの吊り下げ手段を使用した場合にはそうではない。
【０００７】
対象物は背景体に対して前方に展示される。本発明に係る支持体は、対象物の美的な展示を可能にする。本発明の好ましい実施方法によれば、支持体は少なくとも二つの固定用タブを備える。
【０００８】
支持体は、それから１または２以上の固定用タブが延設される中央部を含んでもよく、この中央部と固定用タブは有利には単一部材として形成される。例えば、支持体は一枚のカードボード（ボール紙）またはプラスチックから形成されていてもよい。
【０００９】
特に、１または２以上の固定用タブを、支持体の中央部を切り離すことによって形成してもよい。
本発明はまた、視覚対象物の展示のためのベース部材にも関する。このベース部材は次の特徴を有する。すなわち、その上に対象物が置かれる支持体の固定用タブを差し込むための少なくとも一つのスロット（ミゾ穴）を備え、このスロットは、背景体から所定の距離および背景体に対して所定の位置に対象物を保持するためにタブが嵌まるように設計される。
【００１０】
本発明の実施形態の一つとして、ベース部材は、少なくとも二つのスロットを有し、各スロットは支持体の一つの固定用タブを受けいれるためのものである。
支持体とベース部材とを組み合せてなるこの展示用具は簡単に組み立てることができ、対象物の展示を変えることができる。
【発明を実施するための最良の形態】
【００１１】
他の特徴や利点は以下の記述から明らかにされるであろう。なお、添付図を参照しつつ読まれるべきである以下の記載は、単に例示に過ぎず、限定されるものではない。
図１は、一枚の堅い材料（たとえばカードボードまたはプラスチック）から形成された支持体１００を示している。支持体１００は、概ね平面形状の対象物、例えば写真、はがき、絵画の展示に特に適している。
【００１２】
支持体１００は、概ね長方形の形状を有する中央部１０１、ならびにこの中央部１０１内に延設された４つの固定用タブ１０２，１０３，１０４，１０５を含む。固定用タブ１０２，１０３，１０４，および１０５の一部は中央部１０１内に形成されている。中央部１０１は対象物を受容するためのものであり、例えば、標準的な写真フォーマットの大きさ（１０ｃｍ×１５ｃｍ、１３ｃｍ×１８ｃｍ、その他）とすることができる。
【００１３】
このために、固定用タブ１０２，１０３，１０４，および１０５の側方縁部１１２，１２２，１１３，１２３，１１４，１２４，１１５，１２５は切り込み線または脆弱化された線（破線で示されている）であることが望ましい。この脆弱化された線によって、ユーザーが固定用タブ１０２，１０３，１０４，および１０５を中央部１０１から持ち上げることが可能となる。
【００１４】
支持体１００の１変形例では、固定用タブ１０２，１０３，１０４，および１０５の側方縁部１１２，１２２，１１３，１２３，１１４，１２４，１１５，１２５は、支持体の中央部１０１内に予め切り込まれている。この変形例では、固定用タブ１０２，１０３，１０４，および１０５は予め形成されている。
【００１５】
支持体１００における別の変形例では、固定用タブの縁部１１２，１２２，１１３，１２３，１１４，１２４，１１５，および１２５は支持体上に描画されており、ユーザーが中央部１０１内にてタブを切り離すことができるようになっている。
【００１６】
固定用タブ１０２，１０３，１０４および１０５は、位置マーク１３２，１４２，１５２，１６２，１７２，１３３，１４３，１５３，１６３，１７３，１３４，１４４，１５４，１６４，１７４，１３５，１４５，１５５，１６５，１７５（一点鎖線で示される）を有する。位置マークは、背景体に対して所定の位置および／または所定の距離に展示対象物を保持するために、対応するタブ１０２〜１０５の可能な折り目を示すためのものである。これらの固定用タブ１０２，１０３，１０４，および１０５は、それぞれ、それらの終端部に位置する位置マーク１３２，１３３，１３４，および１３５によって中央部１０１につながっている。
【００１７】
また、固定用タブ１０２，１０３，１０４，および１０５は、位置マークに関連する指示用表示を含む。これらの指示用表示は、対象物を背景体に対して保持することができる離間距離を示している。
【００１８】
図２は、図１の支持体１００に類似した支持体２００を示しており、概ね長方形形状を有する中央部２０１、ならびにこの中央部から延設される４つのタブ２０２，２０３，２０４，および２０５を備えている。支持体２００では、タブ２０２，２０３，２０４，および２０５は、中央部１０１の各縁部から出ていて、それらの一部が中央部２０１の内部に形成されることはない。タブ２０２，２０３，２０４，および２０５は、位置マーク２３２，２４２，２５２，２６２，２７２，２３３，２４３，２５３，２６３，２７３，２３４，２４４，２５４，２６４，２７４，２３５，２４５，２５５，２６５，および２７５（一点鎖線で示される）を有する。タブはそれぞれ、折り目を示す位置マーク２３２，２３３，２３４，および２３５で中央部２０１につながっている。
【００１９】
他の実施形態（図示しない）では、支持体は単一部材から形成されていない。支持体は、例えば接着によって中央部に取付けられた固定タブを備えることができる。
図１および２の支持体は、展示すべき対象物に対して固定用タブの位置を容易な決定できるという利点を有する。
【００２０】
図１および２の支持体１００および２００では、位置マーク１３２〜１３５、１４２〜１４５、１５２〜１５５、１６２〜１６５、および１７２〜１７５、ならびに２３２〜２３５、２４２〜２４５、２５２〜２５５、２６２〜２６５、および２７２〜２７５は、固定用タブ１０２〜１０５，２０２〜２０５が１または２以上の折り目に沿って折り曲げられる時に、固定用タブの異なる可能な形態を作り出すために使用される異なる可能な折り目に対応している。
【００２１】
図３は、図１の支持体と同一の支持体１００を示している。中央部１０１は、位置マーク１８０，１８１，１８２および１８３を有し、これらは異なるいくつかの標準的な写真フォーマット（それぞれ、１０ｃｍ×１５ｃｍ、９ｃｍ×１４ｃｍ、８ｃｍ×１３ｃｍ、１０.７ｃｍ×８.８ｃｍ）に対応する写真の可能な配置を表示するためのものである。これらの位置マーク１８０，１８１，１８２および１８３により、ユーザーが標準フォーマットの写真を、中央部１０１ならびに固定用タブ１０１，１０２，１０３，および１０４に対して中央に配置することが可能となる。従って、支持体１００は異なるいくつかの写真フォーマットの展示に適している。
【００２２】
ユーザーが支持体１００に取付けようとする写真のフォーマットに支持体を合わせるために支持体を切ることができるように、位置マーク１８１，１８２および１８３を脆弱化された線で形成することができる。
【００２３】
また、図３に見ることができるように、中央部は、位置マーク１８０，１８１，１８２および１８３に関連する指示用表示を含んでいてもよい。これらの指示用表示は、位置マークが対応する写真フォーマットを示す。
【００２４】
図４〜１１は、二つのタブ１０２および１０４を切り離し、残りのタブ１０３および１０５を折り曲げることで得られる、図１の支持体１００の立体形状の例をいくつか示す。図２の支持体２００でも同じ立体形状を得ることができる。
【００２５】
図４では、支持体１００の中央部１０１の対向する二辺に位置するタブ１０２および１０４は切り離されている。支持体の中央部１０１の残りの対向する二辺に位置するタブ１０３および１０５は、中央部１０１から持ち上げられていて、折り曲げられている。
【００２６】
タブ１０３および１０５のそれぞれは、まず、中央部１０１の同じ側で、中央部１０１に対してほぼ垂直方向の第一のタブ部を構成するように、第一の折り目（位置マーク１３３および１３５に対応）で折り曲げられる。さらに、各タブ１０３，１０５は、中央部１０１にほぼ平行な方向の第二のタブ部を構成するように、第二の折り目（位置マーク１６３および１６５に対応）で折り曲げられる。こうして形成された第二のタブ部は、中央部１０１に平行で互いに反対方向に向かい、二つのＬ字形状の取り付け部位を形成する。第一の折り目（位置マーク１６３および１６５に対応）での折り曲げによって、第一のタブ部の長さを、従って、支持体１００の中央部１０１の背景体に対する距離を調整することが可能となる。
【００２７】
図５〜１１は、同じ支持体１００を用いて得ることができる立体形状の他の例を示している。
図５では、各タブ１０３，１０５は、まず、中央部１０１の同じ側で中央部１０１に対してほぼ垂直方向の第一のタブ部を構成するように、第一の折り目（位置マーク１３３および１３５に対応）で折り曲げられている。さらに、各タブ１０３，１０５は、中央部１０１に対してほぼ平行方向の第二のタブ部を構成するように、第二の折り目（位置マーク１６３および１６５に対応）で折り曲げられている。それにより、第二のタブ部は一体となって、一つのＵ字形状の取り付けループを形成する。
【００２８】
図６では、各固定用タブ１０３，１０５は、まず、中央部１０１の同じ側で中央部１０１にほぼ当たるように位置する第一のタブ部を構成するように、第一の折り目（位置マーク１３３および１３５に対応）で折り曲げられている。さらに、各タブ１０３，１０５は、中央部１０１の同じ側で中央部１０１に対して垂直に位置する第二のタブ部を構成するように、第二の折り目（位置マーク１４３および１４５に対応）で折り曲げられている。最後に、各固定用タブ１０３，１０５は、中央部１０１、２０１に平行に位置する第三のタブ部を構成するように、第三の折り目（位置マーク１６３および１６５に対応）で折り曲げられている。こうして、固定用タブ１０３，１０５の第三のタブ部は互いに反対方向に向かうことにより、Ｔ字形状の取り付け部位を形成する。
【００２９】
図７では、各固定用タブ１０３，１０５は、まず、中央部１０１の同じ側で、中央部１０１に対し実質的に垂直方向の第一のタブ部を構成するように、第一の折り目（位置マーク１３３および１３５に対応）で折り曲げられている。さらに、各タブ１０３，１０５は、中央部１０１に対して実質的に平行に位置する第二のタブ部を構成するように第二の折り目（位置マーク１４３および１４５に対応）で折り曲げられており、これらの第二のタブ部が一つにつながっている。最後に、各固定用タブ１０３，１０５は、中央部１０１に対して垂直であって中央部１０１の方向を向いている第三のタブ部を構成するように、第三の折り目（位置マーク１６３および１６５に対応）で折り曲げられていて、二つのＵ字形状の取り付けループを形成している。
【００３０】
図８では、各固定用タブ１０３，１０５は、まず、中央部１０１の同じ側で、中央部１０１に対して所定の角度に位置する第一のタブ部を構成するように、第一の折り目（位置マーク１３３および１３５に対応）で折り曲げられている。さらに、各タブ１０３，１０５は、中央部１０１に対して平行に位置する第二のタブ部を構成するように、第二の折り目で（位置マーク１５３および１５５に対応）折り曲げられている。こうして、固定用タブ１０３，１０５の第二のタブ部は、一体化して、概ね台形の形状の取り付けループを形成する。
【００３１】
図５および図８に示した立体形状では、タブ１０３と１０５とを互いに固定するための連結手段を用いてもよい。これらの連結手段は、例えば、二つのスロット１９３および１９５（図２３に示されるような）によって形成することができる。スロット１９３および１９５のそれぞれは、タブ１０３と１０５の一方に切り込まれており、二つのスロットを互いの中に嵌め込むと、タブ１０３と１０４が互いに連結される。
【００３２】
図９では、タブ１０３と１０５とは、図３に示した立体形状と同様に折り曲げられているが、タブ１０３と１０５とはそれぞれ位置マーク１６３と１５５とにおいて互いに反対の方向に折り曲げられている。位置マーク１６３と１４５は支持体１００の中央部１０１から異なった距離に位置する。換言すれば、タブ１０３と１０５との第一のタブ部が異なった長さとなるように、タブ１０３の第一の折り目と第二の折り目との間の距離は、タブ１０５の第一の折り目と第二の折り目との間の距離とは異なっている。この立体形状は、支持体の中央部１０１の背景体に対する傾きを調整するために使用される。
【００３３】
図１０では、タブ１０３と１０５とは、図５に示した立体形状と同様に折り曲げられているが、タブはそれぞれ位置マーク１４３と１４５とで折り曲げられており、このため、より大きな重なり面積を有する。また、タブは重なり帯域において接着により互いに固定されている。
【００３４】
図１１では、タブ１０３はマーク１４３と１７３とで折り曲げられ、タブ１０５はマーク１４３と１７５とで対称的に折り曲げられている。この立体形状は、他の立体形状に比べて、互いの離間距離が大きいタブを作り出すために使用される。
【００３５】
図１２〜１６は、図１，２，および３の支持体１００や２００のような展示支持体を受容するためのベース部材の例を示す。
図１２に示したベース部材３００は、堅い材料（例えば、カードボードまたはプラスチック）のシートから形成される。ベース部材３００は４つのスロット３０２，３０３，３０４，および３０５を有する中央部３０１を含み、これらのスロットは、堅い材料のシートに加えた切り抜きによって形成され、正方形をなすように配置される。各スロット３０２，３０３，３０４，および３０５は、図１の支持体１００の固定用タブ１０２，１０３，１０４，および１０５を受け入れることができる寸法である。
【００３６】
図１２からわかるように、各切り抜き部は舌状片を形成し、これは、折り目３３２，３３３，３３４，および３３５（一点鎖線で示される）にそって堅い材料のシートを軽く折り曲げることによって、中央部３０１から持ち上げられることができる。舌状片を持ち上げることで、支持体１００の固定用タブをスロット３３２，３３３，３３４，および３３５に挿入しやすくなる。
【００３７】
図１３に示したベース部材４００は、図１２のベース部材３００と同様であるが、ベース部材４００は、４つのスロット４０２，４０３，４０４，および４０５を有する中央部を含み、これらのスロットは、図９のベース部材３００の中央部３０１においてなされたものよりも幅広い切り抜きにより形成されたものである。切り抜き部４０２，４０３，４０４，および４０５の幅は、部材４０１から材料を除去することにより得られる。切り抜き部４０２，４０３，４０４，および４０５の幅によって、支持体１００の固定用タブをベース部材４００のスロット３３２，３３３，３３４，および３３５の中に挿入しやすくなる。図１２および１３に示したベース部材３００および４００は、特に、展示支持体１００が図３，７、または８に示した立体形状のものであるときに、これを受容するように設計されている。
【００３８】
図１４のベース部材５００は、逆Ｕ字形状の一つの切り抜き部を有する中央部５０１を備える。この切り抜き部は、中央開口部５０４と二つの平行なスロット５０３および５０５とを形成し、二つの平行スロットはそれらの一端で中央開口部５０４により一体に連結されている。各スロット５０３および５０５は、図１の支持体１００の固定用タブ１０３および１０５を受け入れることができる大きさである。
【００３９】
図１４に示したベース部材５００は、特に、展示支持体１００が図４に示した立体形状をなしているときに、これを受容するように設計されている。タブ１０３および１０５は、それぞれ、スロット５０３および５０５に開口部５０４を経由して挿入される。
【００４０】
図１５のベース部材６００は、Ｔ字形状の一つの切り抜き部を有する中央部６０１を備える。この切り抜き部は、上方の水平な開口部６０４と、一つの垂直方向の中央スロット６０５とを形成する。中央スロット６０５は、図１の支持体１００の固定用タブ１０３および１０５を受容することができる大きさである。
【００４１】
特に、図１５に示したベース部材６００は、展示支持体１００が図１，７，または８に示した立体形状のものであるときに、これを受容するように設計されている。タブ１０３および１０５は、上部開口部６０４を経由してスロット６０５に挿入される。
【００４２】
図１６に示したベース部材７００は、一つの切り抜き部を有する中央部６０１を含む。この切り抜き部は、上方の水平な開口部７０４と、中央の開口部７０４から出発する３つの垂直方向のスロット７０３，７０５，７０６を形成している。両側のスロット７０３および７０５のそれぞれは、図１の支持体１００の固定用タブ１０３および１０５をそれぞれ受容することができる大きさである。中央のスロット７０５は、図１の支持体１００の二つの固定用タブ１０３および１０５を受容することができる大きさである。
【００４３】
特に、図１６に示したベース部材７００は、展示支持体１００が図６に示した立体形状のものであるときに、これを受容するように設計されている。タブ１０３および１０５は、スロット７０３，７０５，および７０６に上部開口部７０４を経由して挿入される。
【００４４】
図１７は、展示用具を形成するための支持体１００のベース部材１０００への取り付けを模式的に説明する。支持体１００は図４の立体形状のものであり、二つのタブ１０３および１０５は二つのＬ字形状の取り付け具を形成している。
【００４５】
ベース部材１０００は一枚の堅い材料から形成されるコーナー・ピースの形状をとり、これが備える二つのウイング部１００３と１００５は共通縁部１００１で互いにつながっている。各ウイング部１００３と１００５はそれぞれスロット１０３０と１０５０を有する。各スロット１０３０と１０５０は、支持体１００のタブ１０３および１０５の一つを受容することができる大きさである。
【００４６】
また、ウイング部１００３と１００５とは舌状部１０３１および１０５１を含み、これらは、間にある角度をなしている二つの壁面にベース部材１０００を固定するのに使用される。ベース部材１０００は、展示用具を部屋の角に固定するのに都合よく使用される。
【００４７】
図１８は、図４の立体形状の支持体１００と図１２のベース部材３００とを組み合わせて備えた対象物展示用具を模式的に示す断面図である。図１８に見られるように、支持体１００の固定用タブ１０３および１０５の折り曲げ部がベース部材３００のスロット３０３および３０５に挿入されている。展示される対象物８００は支持体１００の中央部１０１に置かれており、ベース部材３００は背景体９００（例えば壁）に固定されている。
【００４８】
図１９は、図５の立体形状の支持体１００と図１４のベース部材５００とを組み合せて備えた対象物展示用具を模式的に示す断面図である。図１９に見られるように、支持体１００の固定用タブ１０３および１０５における折り曲げ部はベース部材５００のスロット５０３および５０５に挿入されている。展示される対象物８００は、支持体１００の中央部１０１に固定されており、ベース部材５００は背景体９００に固定されている。
【００４９】
図２０は、図６の立体形状の支持体１００と図１６のベース部材７００とを組み合せて備える対象物展示用具を模式的に示す断面図である。図２０に見られるように、支持体１００の固定用タブ１０３および１０５における折り曲げ部はベース部材７００のスロット７０３および７０５に挿入されている。展示される対象物８００は、支持体１００の中央部１０１上に固定され、ベース部材７００は背景体９００に固定されている。
【００５０】
図２１は、図８の立体形状の支持体１００と図１５のベース部材６００とを組み合せて備える対象物展示用具を模式的に示す断面図である。図２１に見られるように、支持体１００の固定用タブ１０３および１０５における折り曲げ部はベース部材６００のスロット６０３および６０５に挿入されている。展示される対象物８００は、支持体１００の中央部１０１上に固定されており、ベース部材６００は背景体９００に固定されている。
【００５１】
図１８〜２１において、固定用タブ１０３および１０５は、展示される対象物８００を、背景体９００に対して背景体から所定の距離ｄで保持する。
図２２は、本発明に係る展示用具を用いて背景体の前方に展示された複数の対象物８００を模式的に示す正面図である。対象物は、背景体９００に対して背景体から所定の距離ｄで保持されている。固定具の固定用タブは、対象物８００を前方から見ている者には見えない。
【００５２】
図１８において、対象物は背景体９００に平行に展示されている。しかし、本発明に係る展示用具を用いて、背景体９００に対して或る角度をなして対象物８００を展示することも可能である。そのためには、図８に示した立体形状の支持体の固定用タブを使用すればよい。このことは、特に、対象物を高い位置または床面近く、あるいは部屋の角の近くに展示する場合に有利である。
【００５３】
以上に述べた固定装置は、タブを有する支持体とスロットを有するベース部材とを備え、支持体は展示される対象物を受容するように設計され、ベース部材は背景体に固定されるためのものである。ここに提案したベース部材と支持体とは逆転させてもよいことはもちろん明らかである。そのためには、タブを備える支持体を背景体に固定し、スロットを備えるベース部材は、展示される対象物を受容するようにすればよい。ベース部材と支持体とは前述と同じようにして一体に嵌め込む。
【図面の簡単な説明】
【００５４】
【図１】本発明の実施法の一つに基づく展示支持体の例を示す。
【図２】本発明の実施法の一つに基づく展示支持体の例を示す。
【図３】本発明の実施法の一つに基づく展示支持体の例を示す。
【図４】図１の支持体におけるタブの形状例を示す。
【図５】図１の支持体におけるタブの形状例を示す。
【図６】図１の支持体におけるタブの形状例を示す。
【図７】図１の支持体におけるタブの形状例を示す。
【図８】図１の支持体におけるタブの形状例を示す。
【図９】図１の支持体におけるタブの形状例を示す。
【図１０】図１の支持体におけるタブの形状例を示す。
【図１１】図１の支持体におけるタブの形状例を示す。
【図１２】展示支持体を受容するためのベース部材の例を示す。
【図１３】展示支持体を受容するためのベース部材の例を示す。
【図１４】展示支持体を受容するためのベース部材の例を示す。
【図１５】展示支持体を受容するためのベース部材の例を示す。
【図１６】展示支持体を受容するためのベース部材の例を示す。
【図１７】展示用具を形成するためにベース部材上に支持体を設置する状態を模式的に示す。
【図１８】支持体とベース部材との組合せを備えた対象物の展示用具を模式的に示す。
【図１９】支持体とベース部材との組合せを備えた対象物の展示用具を模式的に示す。
【図２０】支持体とベース部材との組合せを備えた対象物の展示用具を模式的に示す。
【図２１】支持体とベース部材との組合せを備えた対象物の展示用具を模式的に示す。
【図２２】本発明の展示用具で得ることができる一つの可能な展示例を模式的に示す。
【図２３】二つの固定用タブの間を一つに連結するための手段を模式的に示す。
【図１】
2008512135.tif 000003
【図２】
2008512135.tif 000004
【図３】
2008512135.tif 000005
【図４】
2008512135.tif 000006
【図５】
2008512135.tif 000007
【図６】
2008512135.tif 000008
【図７】
2008512135.tif 000009
【図８】
2008512135.tif 000010
【図９】
2008512135.tif 000011
【図１０】
2008512135.tif 000012
【図１１】
2008512135.tif 000013
【図１２】
2008512135.tif 000014
【図１３】
2008512135.tif 000015
【図１４】
2008512135.tif 000016
【図１５】
2008512135.tif 000017
【図１６】
2008512135.tif 000018
【図１７】
2008512135.tif 000019
【図１８】
2008512135.tif 000020
【図１９】
2008512135.tif 000021
【図２０】
2008512135.tif 000022
【図２１】
2008512135.tif 000023
【図２２】
2008512135.tif 000024
【図２３】
2008512135.tif 000025
【国際調査報告】
2008512135.tif 000026
2008512135.tif 000027
2008512135.tif 000028
2008512135.tif 000029